(57)【特許請求の範囲】
【請求項１】
複数枚の不織布を積層固定してなり、それらの間に、前身頃の左腰脇部から前身頃の左脚周り部、股間部、前身頃の右脚周り部を経て前身頃の右腰脇部まで連続するように複数本の弾性糸が固定されるとともに、後身頃の左腰脇部から後身頃の左脚周り部、前記股間部、後身頃の右脚周り部を経て後身頃の右腰脇部まで連続するように複数本の弾性糸が固定されて、右脚周り部および左脚周り部のそれぞれに脚周りギャザーの形成されたおむつ形シートと、
不透液性バックシート、吸収材および透液性トップシートをこの順に積層してなり、前記おむつ形シート内面の少なくとも前記股間部に固定される吸収体とで構成され、
予めパンツ形に成形されてなるパンツタイプ紙おむつにおいて、
前記複数本の弾性糸は、前記股間部、左腰脇部および右腰脇部では束ねられた状態で前記おむつ形シートに固定され、かつ前記左脚周り部および右脚周り部では相互に間隔を開けて前記おむつ形シートに固定されるとともに、
前記股間部、左腰脇部および右腰脇部における前記複数本の弾性糸の固定部位は、弾性糸の連続方向の収縮力が、前記脚周り部における前記複数本の弾性糸の固定部位よりも弱い、
ことを特徴とする紙おむつ。
【発明の詳細な説明】
【０００１】
【発明の属する技術分野】
本発明は、前身頃の左腰脇部から前身頃の左脚周り部、股間部、前身頃の右脚周り部を経て前身頃の右腰脇部まで連続するように複数本の弾性糸が固定されるとともに、後身頃の左腰脇部から後身頃の左脚周り部、股間部、後身頃の右脚周り部を経て後身頃の右腰脇部まで連続するように複数本の弾性糸が固定されて、右脚周り部および左脚周り部のそれぞれに脚周りギャザーの形成されたおむつ形シートの内面に、吸収体を固定してなる紙おむつに関し、特に脚周りギャザーを形成する複数本の弾性糸により生ずるおむつ形シート各部における収縮力の適切化を図った紙おむつに関する。
【０００２】
【従来の技術】
この種の紙おむつとして、予めパンツ形に成形されて市販されているパンツタイプ紙おむつが提案され使用されている。例えば、実登３０２４３５７号公報に記載のパンツタイプ紙おむつは、図６〜図８に示すように、不織布等の積層シートとして形成されたおむつ形シート１０１と、このおむつ形シート１０１の内面に固定され、股間部を中心に前後に延在する吸収体１１０とによって構成されている。
【０００３】
吸収体１１０は、不織布などで形成されたおよび透液性トップシート１１１と、プラスチックフィルムや撥水処理を施した不織布などで形成された不透液性バックシート１１３との間に吸収材１１２を挟み込み、これらの周縁を固着してなるものである。
【０００４】
また、おむつ形シート１０１の複数枚の不織布間には、前身頃の左腰脇部１０２Ｌから前身頃の左脚周り部１０３Ｌ、股間部１０４、前身頃の右脚周り部１０３Ｒを経て前身頃の右腰脇部１０２Ｒまで連続するように複数本の弾性糸Ｇ７…が固定されるとともに、後身頃の左腰脇部１０５Ｌから後身頃の左脚周り部１０６Ｌ、前記股間部１０４、後身頃の右脚周り部１０６Ｒを経て後身頃の右腰脇部１０５Ｒまで連続するように複数本の弾性糸Ｇ８…が固定されて、右脚周り部および左脚周り部のそれぞれに脚周りギャザー１０７，１０７が形成される。
【０００５】
【発明が解決しようとする課題】
しかし、かかる従来の紙おむつにおいては、脚周りギャザーを形成する複数本の弾性糸により生ずるおむつ形シート各部における収縮力がそれぞれ適切でないために、下記（イ）および（ロ）に示す問題点があった。
（イ）股間部において股間幅方向に延在する複数本の弾性糸の収縮力が吸収体に強く加わるために、吸収体が幅方向に収縮してしまい、被着者に不快感を与えることがあった。
（ロ）また、腰脇部において腰周り方向に延在する複数本の弾性糸による収縮力も強く、被着者の腰脇に締付け跡が付きやすかった。
【０００６】
そこで、本発明の主たる課題は、脚周りギャザーを形成する複数本の弾性糸により生ずるおむつ形シート各部の収縮力の適切化を図り、もって上記（イ）および（ロ）の問題点を解決することにある。
【０００７】
【課題を解決するための手段】
上記課題を解決すべく、本発明者らは、複数本の弾性糸を固定したおむつ形シートの収縮力に関して、様々な弾性糸の配設形体のものを用いて実測してみたところ、複数本の弾性糸の相互間隔を狭くしたものは、広くしたものに比べて収縮力が弱くなることを知見した。なお、この現象を生ずるのは、複数本の弾性糸を近接してシートに固定した場合、各弾性糸の伸縮運動が他の弾性糸の伸縮運動を規制するためであると考えられる。
【０００８】
かかる知見に基づいてなされた本発明の紙おむつは、複数枚の不織布を積層固定してなり、それらの間に、前身頃の左腰脇部から前身頃の左脚周り部、股間部、前身頃の右脚周り部を経て前身頃の右腰脇部まで連続するように複数本の弾性糸が固定されるとともに、後身頃の左腰脇部から後身頃の左脚周り部、前記股間部、後身頃の右脚周り部を経て後身頃の右腰脇部まで連続するように複数本の弾性糸が固定されて、右脚周り部および左脚周り部のそれぞれに脚周りギャザーの形成されたおむつ形シートと、
不透液性バックシート、吸収材および透液性トップシートをこの順に積層してなり、前記おむつ形シート内面の少なくとも前記股間部に固定される吸収体とで構成され、
予めパンツ形に成形されてなるパンツタイプ紙おむつにおいて、
前記複数本の弾性糸は、前記股間部、左腰脇部および右腰脇部では束ねられた状態で前記おむつ形シートに固定され、かつ前記左脚周り部および右脚周り部では相互に間隔を開けて前記おむつ形シートに固定されるとともに、
前記股間部、左腰脇部および右腰脇部における前記複数本の弾性糸の固定部位は、弾性糸の連続方向の収縮力が、前記脚周り部における前記複数本の弾性糸の固定部位よりも弱い、
ことを特徴とするものである。
【０００９】
本発明において、複数本の弾性糸が股間部では束ねられた状態で前記おむつ形シートに固定され、股間部における収縮力が脚周り部に比べて弱い紙おむつでは、おむつ形シートの股間部に固定された吸収体の幅方向の収縮が抑制される。また、脚周り部はより幅方向に広い面で被着者の太股に接するため、太股の付け根前面および後面に対するフィット性が良好であり、締付け跡が付きにくく、さらに横漏れ防止効果にも優れる。
【００１０】
【００１１】
さらに、少なくとも前記股間部における前記複数本の弾性糸は束ねられた状態で前記おむつ形シートに固定されていると、さらに好ましい（後述の実験例を参照）。各複数本の弾性糸が、腰脇部においても束ねられた状態でおむつ形シートに固定されており、腰脇部における収縮力が脚周り部よりも弱いと被着者の腰脇に締付け跡が付きにくくなる。
【００１２】
【発明の実施の形態】
以下、本発明の実施の形態を添付図面を参照しつつ詳述する。
図１は本発明に係るパンツタイプ紙おむつ例Ｐの展開状態を示し、図２はパンツタイプ紙おむつＰの正面を示し、図３はその側面を示している。すなわち、本例の紙おむつＰは、おむつ形シート１と、このおむつ形シート１内面に全体が固定され、股間部４を中心として前後方向に延在する吸収体１０とで構成されている。
【００１３】
おむつ形シート１は複数枚の不織布を積層固定してなり、それらの間に、前身頃の左腰脇部２Ｌから前身頃の左脚周り部３Ｌ、股間部４、前身頃の右脚周り部３Ｒを経て前身頃の右腰脇部２Ｒまで連続するように複数本の弾性糸Ｇ１…が固定されるとともに、後身頃の左腰脇部５Ｌから後身頃の左脚周り部６Ｌ、股間部４、後身頃の右脚周り部６Ｒを経て後身頃の右腰脇部５Ｒまで連続するように複数本の弾性糸Ｇ２…が固定されたものである。図２および図３に示すように、これら複数本の弾性糸Ｇ１…，Ｇ２…により左脚周り部および右脚周り部のそれぞれに脚周りギャザー７，７が形成される。なおＣは、各脚周り部の中央領域を示している。
【００１４】
吸収体１０は従来のものと同様であり、図示しないが、不織布などからなり着用者の肌に直接触れる透液性トップシート１１と、ポリエチレンなどのプラスチックフィルムや撥水処理を施した不織布などからなる不透液性バックシート１３との間に、綿状パルプを主体とし必要によりこれを吸収紙で包んだ吸収材１２を挟み込み、周縁部分を例えばホットメルト接着剤等により接着して形成することができる。
【００１５】
そして、特に本例の紙おむつ１では、前身頃側の複数本の弾性糸Ｇ１…は、前身頃の左腰脇部２Ｌ、股間部４および前身頃の右腰脇部２Ｒにおいては束ねられた状態でおむつ形シート１に固定され、その他の部分すなわち前身の左脚周り部３Ｌおよび前身頃の右脚周り部３Ｒでは相互に間隔を開けておむつ形シート１に固定されている。また、後身頃側の複数本の弾性糸Ｇ２…は、後身頃の左腰脇部５Ｌ、股間部４および後身頃の右腰脇部５Ｒの各部においては束ねられた状態でおむつ形シート１に固定され、その他の部分すなわち後身頃の左脚周り部６Ｌおよび後身頃の右脚周り部６Ｒでは相互に間隔を開けておむつ形シート１に固定されている。なお、図示例では、前身頃側に固定した複数本の弾性糸Ｇ１…および後身頃側に固定した複数本の弾性糸Ｇ２…の両方が、股間部４において１本に束ねられている。
【００１６】
したがって、本例の紙おむつ１では、各複数本の弾性糸Ｇ１…，Ｇ２…の配設間隔は脚周り部３Ｌ，３Ｒ，６Ｌ，６Ｒで最も広く、股間部４および腰脇部２Ｌ，２Ｒ，５Ｌ，５Ｒで最も狭くなっている。
【００１７】
また、複数本の弾性糸Ｇ１…，Ｇ２…を束ねて固定した部位、すなわち股間部４および腰脇部２Ｌ，２Ｒ，５Ｌ，５Ｒの収縮力は弱い。その結果、吸収体１０の幅方向の収縮が小さくなるとともに、被着者の腰脇に締付け跡が付きにくくなる。また本例では、脚周り部３Ｌ，３Ｒ，６Ｌ，６Ｒでは、複数の弾性糸Ｇ１…，Ｇ２…は相互に間隔を開けておむつ形シート１に固定されており、当該部分の収縮力は股間部４や腰脇部２Ｌ，２Ｒ，５Ｌ，５Ｒと比べて強い。また、この脚周り部３Ｌ，３Ｒ，６Ｌ，６Ｒはより幅方向に広い面で被着者の太股に接する。よって、太股の付け根に対するフィット性が良好であり、締付け跡が付きにくいとともに横漏れ防止効果にも優れる。
【００１８】
他方、本発明の弾性糸としては、適宜の太さおよび断面形状を有する天然ゴム糸や合成ゴム糸を使用できる。弾性糸の本数も、複数であれば図示例のように３本である必要はない。
【００１９】
また、上記例では前身頃側に固定した複数本の弾性糸Ｇ１…および後身頃側に固定した複数本の弾性糸Ｇ２…の両方が、股間部４において１本に束ねられているが、本発明はこれに限定されない。すなわち、前身頃側に固定した複数本の弾性糸と後身頃側に固定した複数本の弾性糸とを、股間部においてそれぞれ別々に束ねることができる。この場合、図４に示すように、前身頃側の複数本の弾性糸Ｇ３…と後身頃側の複数本の弾性糸Ｇ４…とを股間部４においてそれぞれ別々に束ね、かつ各複数本の弾性糸Ｇ３…，Ｇ４…を互いに交差させるようにしたり、図５に示すように、前身頃側の複数本の弾性糸Ｇ５…と後身頃側の複数本の弾性糸Ｇ６…とを股間部４においてそれぞれ別々に束ね、かつ各複数本の弾性糸Ｇ５…，Ｇ６…を交差させず前後方向に離間するようにしたりすることができる。
【００２０】
さらに上記例では、股間部および腰脇部における複数本の弾性糸を束ねた状態でおむつ形シートに固定し、脚周り部における複数本の弾性糸を間隔を開けておむつ形シートに固定している。
【００２１】
【００２２】
＜実験例＞
以下に実験例を示す。
先ず図９（ａ）に示すように６本の弾性糸２００Ｇを束ねて固定したシート片２００（本発明例）と、図９（ｂ）に示すように複数本の弾性糸２０１Ｇを３〜５ｍｍの間隔を開けて固定したシート片２０１（比較例）とを作製した。これらのシート片は、ともに複数本の弾性糸を、目付２０〜２３ｇ／ｍ2の不織布間に挟んで両面テープで固定して作製したものであり、ギャザーの伸長率は２００％であり、サイズは１００ｍｍ×５０ｍｍである。
【００２３】
次に、これらのシート片２００，２０１について収縮力を測定した。具体的には、シート片を引張試験機に取り付けて長手方向に１往復伸縮させ、その際に各伸長率における伸長に要する荷重を測定し、これを収縮力とした。この結果を表１に示す。
【００２４】
【表１】
0004428736.tif 000002
【００２５】
表１から明らかなように、本発明例の複数本の弾性糸を束ねて固定したシート片２００は、全ての伸長率において、比較例の複数の弾性糸を３〜５ｍｍの間隔を開けて固定したシート片２０１と比べて収縮力が弱くなった。なお、複数本の弾性糸間隔が２ｍｍ以下であれば、本発明例と同様に、複数の弾性糸を３〜５ｍｍの間隔を開けて固定した比較例と比べて収縮力が弱くなることも実験で確かめた。
【００２６】
【発明の効果】
以上の通り、本発明によれば脚周りギャザーを形成する複数本の弾性糸により生ずるおむつ形シート各部の収縮力が適切となる。また、具体的には、下記に示す（イ）〜（ハ）の効果が奏せられる。
（イ）股間部の幅方向の収縮力が弱くなるために、吸収体が幅方向に収縮しにくくなる。よって、被着者に与える不快感を少なくすることができる。
（ロ）弾性糸による腰脇部の収縮力が、被着者の腰に締付け跡が付きにくい程度に弱くなる。
（ハ）各身頃の脚周り部における、複数本の弾性糸間隔が股間部に比べて広いので、被着者の太股に対して十分に強い締め付け力を発揮するとともに、被着者の太股に締付け跡が付きにくい。
【図面の簡単な説明】
【図１】  本発明に係るパンツタイプ紙おむつの展開図である。
【図２】  本発明に係るパンツタイプ紙おむつの正面図である。
【図３】  その側面図である。
【図４】  他の本発明に係るパンツタイプ紙おむつの展開図である。
【図５】  他の本発明に係るパンツタイプ紙おむつの展開図である。
【図６】  従来のパンツタイプ紙おむつの展開図である。
【図７】  従来のパンツタイプ紙おむつの正面図である。
【図８】  その側面図である。
【図９】  実験例で使用したシート片の平面図である。
【符号の説明】
Ｐ…パンツタイプ紙おむつ、１…おむつ形シート、２Ｌ，２Ｒ…前身頃の腰脇部、３Ｌ，３Ｒ…前身頃の脚周り部、４…股間部、５Ｌ，５Ｒ…後身頃の腰脇部、６Ｌ，６Ｒ…後身頃の脚周り部、７…ギャザー、１０…吸収体、１１…透液性トップシート、１２…吸収材、１３…不透液性バックシート、Ｇ１…前身頃側の弾性糸、Ｇ２…後身頃側の弾性糸。
【図１】
0004428736.tif 000003
【図２】
0004428736.tif 000004
【図３】
0004428736.tif 000005
【図４】
0004428736.tif 000006
【図５】
0004428736.tif 000007
【図６】
0004428736.tif 000008
【図７】
0004428736.tif 000009
【図８】
0004428736.tif 000010
【図９】
0004428736.tif 000011